(57)【特許請求の範囲】
【請求項１】
水上を含んで用いられるレジャー用浮き物体において、充電可能の電池よりなる電源と、前記レジャー用浮き物体が水上に投げ込まれて水面と接触したときに接となる第１のスイッチと、周囲光が一定値以下になった場合に接となる第２のスイッチと、発光ダイオード（ＬＥＤ）或いは有機ＥＬ板よりなる発光器と、衝撃感知センサーとを備え、前記レジャー用浮き物体が夜間を含む周囲が暗い状況において水上に投下された場合には自動的に発光器が発光し、前記レジャー用浮き物体に衝撃が加わったことを前記衝撃感知センサーが感知するごとに発光器の点灯間隔或いは点灯色を変える自動発光装置を組み込んだレジャー用浮き物体。
【請求項２】
前記第１のスイッチ及び／もしくは第２のスイッチにわたって並列に手動スイッチを設置することを特徴とした請求項１記載のレジャー用浮き物体。
【請求項３】
請求項１もしくは２記載のレジャー用浮き物体において、前記ＬＥＤあるいは有機ＥＬ板を間欠点灯させることを特徴とするレジャー用浮き物体。
【請求項４】
請求項１乃至３のいずれか１項記載のレジャー用浮き物体において、前記レジャー用浮き物体に太陽電池を組み込んだことを特徴とするレジャー用浮き物体。
【請求項５】
請求項１乃至４のいずれか１項記載のレジャー用浮き物体において、前記発光器として多色発光のＬＥＤあるいは有機ＥＬ板を用いることを特徴とするレジャー用浮き物体。
【発明の詳細な説明】
【技術分野】
【０００１】
本発明は、自動点灯式の発光装置を備えた水上で用いられる浮き輪や浮きボールに関するものである。
【背景技術】
【０００２】
現在、船舶には法定装備品として救命用浮き輪が装備されており、同様な救命用浮き輪や浮きボールが河川岸の要所や用水池縁にも装備されている。これ等は緊急時に投下されて溺者の救命に用いられるが、夜間に使用される場合は慌てている溺者には視認が難しいという欠点がある。
【０００３】
このため、救命用浮き輪の一部には特許文献１の如く視認用の発光器を連結している例がある。この発光器は、発光部と電池を備えており、特許文献１では太陽電池によって電池を充電するという優れた技術思想が開示されている。
【０００４】
しかし、発光器は浮き輪とは離れており、溺者が発光器を視認してもすぐに浮き輪の位置を視認でき、浮き輪を掴めるわけではない。
【０００５】
また、発光器は水中に投下されると自動的に発光するようになされているが、明るい昼間では発光する必要はなく、夜間或いは周囲が暗い場合のみ発光して電池の消耗を抑える必要がある。
【先行技術文献】
【特許文献】
【０００６】
【特許文献１】特開２００５−２６３１９１号公報
【発明の概要】
【発明が解決しようとする課題】
【０００７】
前述のように、夜間のような周囲が暗い環境において、救命用浮き輪を投下した場合、溺者が直ちに救命用浮き輪の位置を視認できるよう浮き輪の要所が発光されるようにすることが課題である。
【０００８】
また、救命用浮き輪は、水上に投下する前に電源スイッチを入れ忘れたりすることが無いよう、水上に投下されたとき自動的に発光して視認できることも課題であり、更に周囲が明るく浮き輪自体が容易に視認できる場合は発光せず電池の消耗を抑えることも課題である。
【０００９】
以上のことは、対象が浮き輪であっても、浮きボールであっても、同様である。すなわち、本願は、ビーチボールを打ち合うたびに発光色が変わり、たとえば衝撃の強さによって色が変わるような浮き物体を提供すること、望むらくはそれにより新しい遊戯方法を生みだすことをも課題とする。
【課題を解決するための手段】
【００１０】
上記のような各課題を解決するために、本発明に係るレジャー用浮き物体は、（請求項１）の如く、充電可能の電池よりなる電源と、前記レジャー用浮き物体が水上に投げ込まれて水面と接触したときに接となる第１のスイッチと、周囲光が一定値以下になった場合に接となる第２のスイッチと、発光ダイオード（ＬＥＤ）或いは有機ＥＬ板よりなる発光器と、衝撃感知センサーとを備え、前記レジャー用浮き物体が夜間を含む周囲が暗い状況において水上に投下された場合には自動的に発光器が発光し、前記レジャー用浮き物体に衝撃が加わったことを前記衝撃感知センサーが感知するごとに発光器の点灯間隔或いは点灯色を変える自動発光装置を組み込んだことを特徴とする。
【００１１】
ここで「浮き物体」とは、浮き輪や浮ボールを含む概念を表す（以下同様）。
【００１２】
また、上記スイッチ１〜３のいずれか一つ以上にわたって並列にスイッチを設置して自動スイッチをバイパスすることを可能とすることを特徴とする。
【００１３】
さらに、ＬＥＤあるいは有機ＥＬ板を間欠点灯させて電池の消耗を抑える一方、間欠点灯の間隔と時間をコード化して、たとえばモールス符号のＳＯＳのようなコード点灯を可能とすることを特徴とする。
また、浮き物体には太陽電池パネルを組み込み、該パネルにより充電電池を充電するようにすることもできる。
【００１４】
さらに、上記で用いるＬＥＤあるいは有機ＥＬ板を多色発光型とし、状況に応じて発光色を選択するようにすることができる。
【００１５】
また、浮き輪あるいは浮きボールに衝撃センサーを備えて、浮き輪を揺らしたり、衝撃を与えたときにＬＥＤあるいは有機ＥＬ板の点灯間隔を変えたり発光色を変化させるようにすることができる。
【発明の効果】
【００１６】
以上、説明したように、本発明に係る自動発光装置付き浮き物体は、緊急時に電源スイッチを入れなくとも、格納場所から外した時点で電源スイッチ１がＯＮとなり、水上に投下された時点で水を感知して電源スイッチ２がＯＮとなり、周囲光を検出して暗い環境では自動的にＬＥＤあるいは有機ＥＬ板が点灯して浮き物体の位置を明確に表示することができる。
【００１７】
本発明に係る自動発光装置付き浮き物体の上記のような自動点灯機能により、たとえば夜間の緊急時に照明装置付きの浮き物体の電源スイッチを入れ忘れて、肝心の浮き物体の位置を溺者が認識できないという事故を防止することができる。
【００１８】
また、周囲光を検出して、周囲が暗く、浮き物体の位置が確認しづらいときのみＬＥＤあるいは有機ＥＬ板を点灯して、周囲が明るく浮き物体の位置を容易に視認できるときはＬＥＤあるいは有機ＥＬ板を点灯せず無駄な電池の消耗を防ぎ、さらに点灯時は間欠点灯として電池の消耗を抑えることができる。
【００１９】
さらに、周囲光検出機能と間欠点灯機能に加えて太陽電池による充電機能を備えており、電池の電源の消耗が大変抑えられるため、海難事故で浮き物体につかまって漂流するような状況では長期に亘っての発光効果を持続する。
【００２０】
上記においては、救難用浮き物体を例にとって説明してきたが、本発明に係る自動発光装置付き浮き物体は救難用ばかりでなく、レジャー用の浮き物体やビーチボールにも応用できる。この様な応用の場合には周囲光の検出スイッチをバイパスするようにすれば昼間時でもＬＥＤあるいは有機ＥＬ板のキラキラ点滅する様が楽しさを盛り上げるのに効果的である。      
【００２１】
また、揺れるにつれてキラキラ光る浮き物体は、水を怖がる幼児に水遊びの楽しさを知らしめる効果もある。さらに、本発明に係る自動発光装置をビーチボールに応用すればビーチボールを打ち合うたびに発光色が変わり、たとえば衝撃の強さによって色が変わるように設定することにより新しい遊戯方法が生まれる可能性がある。
【図面の簡単な説明】
【００２２】
【図１】本発明の一実施形態に係る自動発光装置付き浮き輪の一実施例を示す概略図である。
【図２】本発明の一実施形態に係る自動発光装置付き浮き輪のブロックダイヤグラムである。
【図３】本発明の一実施形態に係る自動発光装置付き浮き輪の自動発光装置のシーケンスフローチャートである。
【図４】本発明の一実施形態に係る自動発光装置付き浮き輪の水検出回路の基本的な一例である。
【図５】本発明の一実施形態に係る自動発光装置付き浮き輪の周囲光検出回路の基本的な一例である。
【発明を実施するための形態】
【００２３】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２４】
図１は本発明の一実施形態に係る自動発光装置付き浮き輪を救命浮環に応用した場合の概略図である。救命浮環１の周囲にはつかみ索２が取り付けられており、本例ではつかみ索取り付け部分３と救命浮環１に単体ＬＥＤあるいは有機ＥＬ板４が略面一に埋設されている。電池容量に余裕がある場合は視認しやすいテープ状に長いＬＥＤあるいは有機ＥＬ板４ａを図１（ｂ）の如く取り付けても良い。
【００２５】
同様に、充電電池６と太陽電池７が救命浮環１に埋め込まれている。図１ではこれらがつかみ索取り付け部３に埋め込まれている例を示しているが、救命浮環１に埋め込んでも良い。
【００２６】
本発明の一実施形態に係る自動発光装置付き救命浮環１は、通常船舶甲板上の構造物の取付座８に取り付けられている。救命浮環１の取付座８に相当する位置には脱着センサー９が埋め込まれており、救命浮環１が外されたり、船舶が浸水して救命浮環１が浮力で取付座８より浮かび上がったことを脱着センサー９が検出して、その時点において後述するスイッチ１がＯＮとなる。
【００２７】
図１では救命浮環１の片側にＬＥＤあるいは有機ＥＬ板４、太陽電池７を設置しているが、もちろん救命浮環１の裏側にも同様に設置されており、水面下になる側のＬＥＤあるいは有機ＥＬ板は点灯しなくても良い。さらに、図１（ｃ）の如くＬＥＤあるいは有機ＥＬ板４ｂを浮き輪の側面に設置して、浮き輪のどちらの面が上になろうとも視認できるようにしても良い。
【００２８】
また、図１では図示していないが、充電電池６、水検出センサー１０、手動スイッチ２４、水検出回路２５、周囲光検出センサー５１、周囲光検出回路２６、ＬＥＤあるいは有機ＥＬ板点灯回路２７、衝撃センサー２８、バイパススイッチ２４が救命浮環１の任意の場所に埋め込み設置されている。
【００２９】
図２は、本発明の一実施形態に係る自動発光装置付き救命浮き輪のブロックダイヤグラムであり、図３はシーケンスフローチャートである。両図を用いて本発明の動作を説明する。太陽電池７にて充電される電池６からの電源は、浮き輪取付座８に相当する部分に取り付けられた防水型マイクロスイッチのような脱着センサー９の第１スイッチ２１によって、浮き輪１が取付座８から外れた時点で水検出回路２５に印加される。
【００３０】
水検出回路２５はたとえば図４のような回路で構成されており水検出センサー１０が水に触れるとリレー３１が動作、即ち第２スイッチであるリレー電極が導通し、周囲光検出回路２６に電源が印加される。
【００３１】
周囲光検出回路２６は、たとえば図５のような回路で構成されており、フォトレジスターのような周囲光検出センサー５１に入射される光がベース抵抗５２によって設定される設定値より低くなると、すなわち救命浮環１の周囲が暗くなるとリレー５３が動作、即ち第３スイッチであるリレー電極がＯＮとなりＬＥＤあるいは有機ＥＬ板点灯回路２７に電源が印加され、ＬＥＤあるいは有機ＥＬ板４／４ａ／４ｂが点灯する。
【００３２】
一方何らかの理由で浮き輪を外してすぐ点灯させたい場合は、図２の手動スイッチ２４を手動でＯＮすることによって第２スイッチ２２と第３スイッチ２３をバイパスしてＬＥＤあるいは有機ＥＬ板を点灯することができる。本発明をレジャー用の浮き輪やビーチボールに応用する場合には、このバイパス機能によって常時点灯させて遊ぶことができるわけである。
【００３３】
また、図２の如く、浮き輪に衝撃センサーを設け、浮き輪に衝撃が加わったことを感知するごとにＬＥＤあるいは有機ＥＬ板を点灯色変化させることもできる。
【００３４】
以上のことは、対象が浮き輪であっても、浮きボールであっても、同様である。
【産業上の利用可能性】
【００３５】
上述してきたように、本願による発明によれば、救命用の浮き輪や浮きボールに設置されたＬＥＤあるいは有機ＥＬ板を自動点灯することにより暗夜でもその位置を容易に視認することができ、救命効果を格段に向上することができる。
【００３６】
また、自動点灯のため、点灯スイッチを入れ忘れたため発光装置が発光しないという事故を防ぐことができ、緊急時の救命に即応することができる。
【００３７】
本発明は救命用ばかりでなく、レジャー用の浮き輪やビーチボールにも応用利用することができる。
【符号の説明】
【００３８】
１…浮き輪、２…つかみ索、３…つかみ索取り付け部、４…ＬＥＤあるいは有機ＥＬ板、４ａ…ＬＥＤあるいは有機ＥＬを帯状装備した例、４ｂ…ＬＥＤあるいは有機ＥＬを側面に装備した例、６…充電電池、７…太陽電池、８…浮き輪取付具、９…脱着センサー、２１…第１スイッチ、２２…第２スイッチ、２３…第３スイッチ、２４…手動スイッチ、２５…水検出回路、２６…周囲光検出回路、２７…点灯回路、２８…衝撃センサー
【図１】
0005795752.tif 000002
【図２】
0005795752.tif 000003
【図３】
0005795752.tif 000004
【図４】
0005795752.tif 000005
【図５】
0005795752.tif 000006